(57)【要約】【課題】無線ＬＡＮアクセスポイントの無線設定が変更されたときに、無線ＬＡＮ子機から要求を送信することなく、無線ＬＡＮ子機側で容易に無線設定変更に追随する。【解決手段】実施の形態に係る無線ＬＡＮアクセスポイント１００は、無線ＬＡＮ子機と無線接続を行う無線接続部１１と、無線ＬＡＮ子機と無線接続を行っているときに無線設定が変更された場合、変更後の無線設定を前記無線ＬＡＮ子機に通知する設定制御部１２とを備える。【選択図】図１
2019208105.tif 000002
【特許請求の範囲】
【請求項１】
無線ＬＡＮ子機と無線接続を行う無線接続部と、
前記無線ＬＡＮ子機と無線接続を行っているときに無線設定が変更された場合、変更後の無線設定を前記無線ＬＡＮ子機に通知する設定制御部と、
を備える、
無線ＬＡＮアクセスポイント。
【請求項２】
前記設定制御部は、変更前の無線設定と変更後の無線設定との差分を抽出し、当該差分のみを前記無線ＬＡＮ子機に通知する、
請求項１に記載の無線ＬＡＮアクセスポイント。
【請求項３】
前記設定制御部は、通知した変更後の無線設定を前記無線ＬＡＮ子機が受信した旨の応答を検出する、
請求項１又は２に記載の無線ＬＡＮアクセスポイント。
【請求項４】
前記無線接続部は、複数の前記無線ＬＡＮ子機と無線接続可能であり、
前記設定制御部は、無線接続された複数の前記無線ＬＡＮ子機のそれぞれに変更後の無線設定を通知する、
請求項１〜３のいずれか１項に記載の無線ＬＡＮアクセスポイント。
【請求項５】
前記設定制御部は、無線接続されている複数の前記無線ＬＡＮ子機の数をカウントし、
複数の前記無線ＬＡＮ子機の１台に変更後の無線設定を通知する毎に前記無線ＬＡＮ子機のカウント数を１減算して、該カウント数が０になるまで異なる前記無線ＬＡＮ子機への無線設定の通知を実行する、
請求項４に記載の無線ＬＡＮアクセスポイント。
【請求項６】
無線ＬＡＮアクセスポイントと無線接続を行う無線接続部と、
前記無線ＬＡＮアクセスポイントと無線接続を行っているときに無線設定が変更された場合に前記無線ＬＡＮアクセスポイントから通知される変更後の無線設定を受信し、変更後の無線設定が有効となり前記無線ＬＡＮアクセスポイントとの接続が解除された後に、通知された変更後の無線設定を有効にして前記無線ＬＡＮアクセスポイントへ再接続する接続制御部と、
を備える、
無線ＬＡＮ子機。
【請求項７】
前記接続制御部は、変更後の無線設定を受信した旨を示す応答を前記無線ＬＡＮアクセスポイントに送信する、
請求項６に記載の無線ＬＡＮ子機。
【請求項８】
無線ＬＡＮ子機と、前記無線ＬＡＮ子機と無線接続する無線ＬＡＮアクセスポイントとを有し、
前記無線ＬＡＮアクセスポイントは、前記無線ＬＡＮ子機と無線接続されているときに無線設定が変更された場合に、変更後の無線設定を前記無線ＬＡＮ子機に通知し、
前記無線ＬＡＮアクセスポイントが変更後の無線設定を有効にして前記無線ＬＡＮアクセスポイントと前記無線ＬＡＮ子機との接続が解除された後に、前記無線ＬＡＮ子機は通知された変更後の無線設定を有効にして前記無線ＬＡＮアクセスポイントへ再接続する、
無線ＬＡＮシステム。
【請求項９】
無線ＬＡＮアクセスポイントと無線ＬＡＮ子機とが無線接続されているときに無線設定が変更された場合に、前記無線ＬＡＮアクセスポイントから変更後の無線設定を前記無線ＬＡＮ子機に通知し、
前記無線ＬＡＮアクセスポイントが変更後の無線設定を有効にして前記無線ＬＡＮアクセスポイントと前記無線ＬＡＮ子機との接続が解除された後に、前記無線ＬＡＮ子機は通知された変更後の無線設定を有効にして前記無線ＬＡＮアクセスポイントへ再接続する、
無線接続方法。
【請求項１０】
無線ＬＡＮアクセスポイントに、該無線ＬＡＮアクセスポイントと無線ＬＡＮ子機とが無線接続されているときに無線設定が変更された場合に、変更後の無線設定を前記無線ＬＡＮ子機に通知する処理を実行させる、
プログラム。
【発明の詳細な説明】
【技術分野】
【０００１】
本発明は、無線ＬＡＮアクセスポイント、無線ＬＡＮ子機、無線ＬＡＮシステム、無線接続方法、プログラムに関する。
【背景技術】
【０００２】
スマートフォンやタブレット、パーソナルコンピュータ等、各種電子機器には無線ＬＡＮ（Local Area Network）が搭載されている。無線ＬＡＮは、有線ＬＡＮと異なり、通信媒体に電波を使用しているため、不正アクセスや情報漏えいの危険が存在する。このため、無線ＬＡＮでは暗号化された通信を行うことが通常である。無線ＬＡＮアクセスポイントの無線設定には、例えば、使用する周波数、チャネル、ＳＳＩＤ（Service Set Identifier）、暗号方式、暗号キー等がある。
【０００３】
このような暗号化された通信を行っていても、無線設定を変更せずに使用し続けると、ハッキング等の危険がある。この対策として、定期的な無線設定の変更が有効である。しかし、無線ＬＡＮアクセスポイントと無線ＬＡＮ子機とが無線接続されている状態において無線設定を変更した場合、無線ＬＡＮアクセスポイントと無線ＬＡＮ子機の無線接続が解除されてしまう。
【０００４】
再度、無線ＬＡＮアクセスポイントと無線ＬＡＮ子機の無線接続を確立するためには、無線ＬＡＮ子機の無線設定を手動でやり直す必要があり、作業が煩雑で時間や手間がかかるという問題がある。無線ＬＡＮアクセスポイントにＰＣやスマートフォン、プリンタ等、複数の無線ＬＡＮ子機が接続されている場合は、各々の無線ＬＡＮ子機の設定を手動でやり直す必要があり、さらなる時間と手間がかかる。また、設定ミス等により接続、通信ができないという問題もあった。
【０００５】
このような問題を解決するために、特許文献１では、無線ＬＡＮ子機からプローブ要求によって無線ＬＡＮアクセスポイントへ無線設定パラメータを要求し取得することにより、無線ＬＡＮアクセスポイント側での無線設定変更に追随する方法が提案されている。
【先行技術文献】
【特許文献】
【０００６】
【特許文献１】特開２０１１−２１１６１２号公報
【発明の概要】
【発明が解決しようとする課題】
【０００７】
特許文献１では、無線ＬＡＮ子機からのプローブ要求により、無線ＬＡＮアクセスポイントの変更後の無線設定が取得される。この無線ＬＡＮ子機からのプローブ要求はブロードキャストで送信されるため、無線ＬＡＮ子機が接続を所望している無線ＬＡＮアクセスポイント以外へもパケットを送信してしまう。また、無線ＬＡＮアクセスポイントと無線ＬＡＮ子機との間の無線設定を要求するやりとりに置いて、通常の通信とは別の暗号化を行い、セキュリティを確保する必要がある。
【０００８】
本開示の目的は、上述した問題を鑑み、無線ＬＡＮアクセスポイントの無線設定が変更されたときに、無線ＬＡＮ子機からプローブ要求を送信することなく、無線ＬＡＮ子機側で容易に無線設定変更に追随することができる技術を提供することにある。
【課題を解決するための手段】
【０００９】
本発明の一態様に係る無線ＬＡＮアクセスポイントは、無線ＬＡＮ子機と無線接続を行う無線接続部と、前記無線ＬＡＮ子機と無線接続を行っているときに無線設定が変更された場合、変更後の無線設定を前記無線ＬＡＮ子機に通知する設定制御部とを備える。
【００１０】
本発明の一態様に係る無線ＬＡＮ子機は、無線ＬＡＮアクセスポイントと無線接続を行う無線接続部と、前記無線ＬＡＮアクセスポイントと無線接続を行っているときに無線設定が変更された場合に前記無線ＬＡＮアクセスポイントから通知される変更後の無線設定を受信し、変更後の無線設定が有効となり前記無線ＬＡＮアクセスポイントとの接続が解除された後に、通知された変更後の無線設定を有効にして前記無線ＬＡＮアクセスポイントへ再接続する接続制御部とを備える。
【００１１】
本発明の一態様に係る無線ＬＡＮシステムは、無線ＬＡＮ子機と、前記無線ＬＡＮ子機と無線接続する無線ＬＡＮアクセスポイントとを有し、前記無線ＬＡＮアクセスポイントは、前記無線ＬＡＮ子機と無線接続されているときに無線設定が変更された場合に、変更後の無線設定を前記無線ＬＡＮ子機に通知し、前記無線ＬＡＮアクセスポイントが変更後の無線設定を有効にして前記無線ＬＡＮアクセスポイントと前記無線ＬＡＮ子機との接続が解除された後に、前記無線ＬＡＮ子機は通知された変更後の無線設定を有効にして前記無線ＬＡＮアクセスポイントへ再接続する。
【００１２】
本発明の一態様に係る無線接続方法は、無線ＬＡＮアクセスポイントと無線ＬＡＮ子機とが無線接続されているときに無線設定が変更された場合に、前記無線ＬＡＮアクセスポイントから変更後の無線設定を前記無線ＬＡＮ子機に通知し、前記無線ＬＡＮアクセスポイントが変更後の無線設定を有効にして前記無線ＬＡＮアクセスポイントと前記無線ＬＡＮ子機との接続が解除された後に、前記無線ＬＡＮ子機は通知された変更後の無線設定を有効にして前記無線ＬＡＮアクセスポイントへ再接続する。
【００１３】
本発明の一態様に係るプログラムは、無線ＬＡＮアクセスポイントに、該無線ＬＡＮアクセスポイントと無線ＬＡＮ子機とが無線接続されているときに無線設定が変更された場合に、変更後の無線設定を前記無線ＬＡＮ子機に通知する処理を実行させ、前記無線ＬＡＮ子機に、前記無線ＬＡＮアクセスポイントが変更後の無線設定を有効にして前記無線ＬＡＮアクセスポイントと前記無線ＬＡＮ子機との接続が解除された後に、通知された変更後の無線設定を有効にして前記無線ＬＡＮアクセスポイントへ再接続する処理を実行させる。
【発明の効果】
【００１４】
本発明によれば、無線ＬＡＮアクセスポイントの無線設定が変更されたときに、無線ＬＡＮ子機からプローブ要求を送信することなく、無線ＬＡＮ子機側で容易に無線設定変更に追随することができる。
【図面の簡単な説明】
【００１５】
【図１】実施の形態に係る無線ＬＡＮアクセスポイントの構成を示す図である。
【図２】実施の形態に係る無線ＬＡＮ子機の構成を示す図である。
【図３】実施の形態１に係る無線ＬＡＮアクセスポイントの構成を示す図である。
【図４】無線ＬＡＮアクセスポイントにおける第１無線設定テーブルを示す図である。
【図５】無線ＬＡＮアクセスポイントにおける第２無線設定テーブルを示す図である。
【図６】無線ＬＡＮアクセスポイントにおける第３無線設定テーブルを示す図である。
【図７】実施の形態１に係る無線ＬＡＮ子機の構成を示す図である。
【図８】無線ＬＡＮ子機における子機側無線設定テーブルを示す図である。
【図９】実施の形態１に係る無線接続方法の処理の流れを示すフロー図である。
【図１０】実施の形態１に係る無線接続方法の処理の流れを示すフロー図である。
【図１１】実施の形態１に係る無線接続方法の処理の流れを示す図である。
【図１２】無線ＬＡＮアクセスポイントにおける接続無線ＬＡＮ子機テーブルを示す図である。
【図１３】実施の形態２に係る無線接続方法の処理の流れを示す図である。
【発明を実施するための形態】
【００１６】
以下、図面を参照して本発明の実施の形態について説明する。説明の明確化のため、以下の記載及び図面は、適宜、省略、及び簡略化がなされている。また、様々な処理を行う機能ブロックとして図面に記載される各要素は、ハードウェア的には、ＣＰＵ、メモリ、その他の回路で構成することができ、ソフトウェア的には、メモリにロードされたプログラムなどによって実現される。従って、これらの機能ブロックがハードウェアのみ、ソフトウェアのみ、またはそれらの組合せによっていろいろな形で実現できることは当業者には理解されるところであり、いずれかに限定されるものではない。
【００１７】
また、上述したプログラムは、様々なタイプの非一時的なコンピュータ可読媒体を用いて格納され、コンピュータに供給することができる。非一時的なコンピュータ可読媒体は、様々なタイプの実体のある記録媒体を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Accsess Memory））を含む。また、プログラムは、様々なタイプの一時的なコンピュータ可読媒体によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１８】
実施の形態は、無線ＬＡＮアクセスポイント、無線ＬＡＮ子機、無線ＬＡＮシステム、無線接続方法、プログラムに関する。図１は、実施の形態に係る無線ＬＡＮアクセスポイント１００の構成を示す図である。図１に示すように、無線ＬＡＮアクセスポイント１００は、無線接続部１１、設定制御部１２を有している。無線接続部１１は、後述する無線ＬＡＮ子機２００と無線接続を行う。設定制御部１２は、無線ＬＡＮ子機２００と無線接続を行っているときに無線設定が変更された場合、変更後の無線設定を無線ＬＡＮ子機２００に通知する。
【００１９】
図２は、実施の形態に係る無線ＬＡＮ子機２００の構成を示す図である。図２に示すように、無線ＬＡＮ子機２００は、無線接続部２１、接続制御部２２を有している。無線接続部２１は、無線ＬＡＮアクセスポイント１００と無線接続を行う。接続制御部２２は、無線ＬＡＮアクセスポイント１００から通知される変更後の無線設定を受信する。接続制御部２２は、無線ＬＡＮアクセスポイント１００が変更後の無線設定を有効にして無線ＬＡＮアクセスポイント１００と無線ＬＡＮ子機２００との接続が解除された後に、通知された変更後の無線設定にて無線ＬＡＮアクセスポイント１００へ接続要求を行う。これにより、変更後の新たな無線設定で無線ＬＡＮアクセスポイント１００と無線ＬＡＮ子機２００とを再接続することができる。
【００２０】
従って、使用者が無線設定を変更する場合、無線ＬＡＮアクセスポイント１００の無線設定を変更するだけでよく、無線ＬＡＮ子機２００の設定変更の操作を行うことなく、無線設定変更後に再接続でき、使用者の利便性を向上させることが可能となる。また、無線設定が変更されると、無線ＬＡＮアクセスポイント１００から変更後の無線設定が無線ＬＡＮ子機２００に通知されるため、無線ＬＡＮ子機２００からプローブ要求を送信することなく、無線ＬＡＮ子機２００で容易に無線設定変更に追随することができる。
【００２１】
実施の形態１．
図３は、実施の形態１に係る無線ＬＡＮアクセスポイント１００の構成を示す図である。図３に示す例では、無線ＬＡＮアクセスポイント１００は、２．４ＧＨｚ帯又は５ＧＨｚ帯の周波数帯域で無線ＬＡＮ通信方式による信号の送受信処理を行う。図３に示すように、無線ＬＡＮアクセスポイント１００は、ＣＰＵ１１０、無線ＬＡＮ制御部１２０、有線ＷＡＮ（Wide Area Network）／ＬＡＮ制御部１３０、ＲＯＭ１４０、ＲＡＭ１５０を備えている。ＣＰＵ１１０は、無線ＬＡＮ制御部１２０、有線ＷＡＮ／ＬＡＮ制御部１３０、ＲＯＭ１４０、ＲＡＭ１５０とそれぞれバスにより接続されている。
【００２２】
ＣＰＵ１１０は、ＲＯＭ１４０に格納されたファームウェア等のプログラムをＲＡＭ１５０に展開して実行することにより無線ＬＡＮアクセスポイント１００の動作を実行する。ＣＰＵ１１０は、有線ＷＡＮ／ＬＡＮ制御部１３０からの通信パケット、無線ＬＡＮ制御部１２０からの通信パケットをそれぞれブリッジすることができる。
【００２３】
また、ＣＰＵ１１０は、ＲＯＭ１４０に格納されたプログラムを実行することにより、無線ＬＡＮアクセスポイント制御部１１１、無線設定テーブル処理部１１２として機能する。ＣＰＵ１１０は、無線ＬＡＮ子機２００と無線接続を行っているときに無線設定が変更された場合、変更後の無線設定を無線ＬＡＮ子機２００に通知する設定制御部１２に相当する。
【００２４】
無線ＬＡＮアクセスポイント制御部１１１は、無線設定テーブル処理部１１２を経由して、ＲＡＭ１５０に保存されている無線設定テーブルを読み込み、無線ＬＡＮ制御部１２０を制御する。無線設定が変更された場合、無線設定テーブル処理部１１２は、変更後の無線設定テーブルをＲＡＭ１５０に保存する。さらに、無線設定テーブル処理部１１２は、変更前の無線設定と変更後の無線設定との差分を抽出し、当該差分のみを含む無線設定テーブルの作成を行う。
【００２５】
無線ＬＡＮ制御部１２０は、無線ＬＡＮアクセスポイント制御部１１１からの制御により、インフラストラクチャーモード（無線ＬＡＮアクセスポイント−無線ＬＡＮ子機間通信モード）の親機として無線接続を行うことができる。すなわち、無線ＬＡＮ制御部１２０は、無線ＬＡＮ子機２００との無線接続を行う無線接続部１１に相当する。
【００２６】
無線ＬＡＮ制御部１２０は、ＭＡＣ（Medium Access Control）／ＢＢ（Baseband）／ＲＦ（Radio Frequency）１２１、ＰＡ（Power Amplifer）１２２、ＬＮＡ（Low Noise Amplifer）１２３、アンテナスイッチ１２４、アンテナ１２５を有している。アンテナ１２５は、無線ＬＡＮ子機２００に対して、２．４ＧＨｚ帯又は５ＧＨｚ帯の周波数帯域の電波を送受信する。アンテナスイッチ１２４は、信号の送受信を切り替えるスイッチである。
【００２７】
有線ＷＡＮ／ＬＡＮ制御部１３０は、Ｌ２ＳＷ（Layer 2 switch）１３１、ＷＡＮポート１３２、ＬＡＮポート１３３を有している。ＷＡＮポート１３２及びＬＡＮポート１３３は有線ＬＡＮ接続用のポートである。無線ＬＡＮ制御部１２０、有線ＷＡＮ／ＬＡＮ制御部１３０としては一般的な技術を採用することができるため、ここでは詳細な説明は省略する。
【００２８】
ここで、無線ＬＡＮアクセスポイント１００における無線設定テーブルについて説明する。図４は、無線ＬＡＮアクセスポイント１００における変更前の無線設定テーブル（以下、「第１無線設定テーブル」とする）を示している。図４に示すように、第１無線設定テーブルには、無線設定として、使用する周波数、チャネル、ＳＳＩＤ（Service Set Identifier）、暗号方式、暗号キーが含まれている。なお、これらの無線設定は一例であり、他の設定が含まれていてもよい。第１無線設定テーブルは、ＲＡＭ１５０に保存される。これらの無線設定は、無線ＬＡＮアクセスポイント１００においてＷｅｂＧＵＩ設定画面等によりユーザーが変更することが可能である。
【００２９】
図５は、無線ＬＡＮアクセスポイント１００が第１無線設定テーブルの無線設定で動作している状態において、ユーザーがＷｅｂＧＵＩ設定画面等により、第１無線設定テーブルの無線設定の一部が変更された、変更後の無線設定テーブル（以下、「第２無線設定テーブル」とする）を示している。図５に示す例では、第１無線設定テーブルのＳＳＩＤのみが変更されている。なお、ＳＳＩＤの変更は一例であり、他の無線設定が変更されてもよい。第２無線設定テーブルもまた、ＲＡＭ１５０に保存される。
【００３０】
図６は、第１無線設定テーブルと第２無線設定テーブルとを比較し、変更前の無線設定と変更後の無線設定との差分（更新箇所）を抽出した無線設定テーブル（以下、「第３無線設定テーブル」とする）である。この場合、ＳＳＩＤが変更されているため、第３無線設定テーブルは、変更後のＳＳＩＤのみが含まれる。
【００３１】
実施の形態１では、無線ＬＡＮアクセスポイント制御部１１１は、無線設定テーブル処理部１１２を経由してＲＡＭ１５０から第３無線設定テーブルを読み出し、無線ＬＡＮ子機２００へ第３無線設定テーブルをユニキャストで送信する。すなわち、変更前の無線設定と変更後の無線設定との差分のみが、無線ＬＡＮアクセスポイント１００から無線ＬＡＮ子機２００へと通知される。また、無線設定テーブル処理部１１２は、変更後の無線設定テーブルを変更前の無線設定テーブルへ上書きする。
【００３２】
無線ＬＡＮアクセスポイント制御部１１１は、変更後の無線設定を無線ＬＡＮ子機２００が受信した旨の応答（Ａｃｋ）を検出する。当該応答を検出した後に、無線ＬＡＮアクセスポイント制御部１１１は、無線ＬＡＮ子機２００との無線接続を解除する。
【００３３】
図７は、実施の形態１に係る無線ＬＡＮ子機２００の構成を示す図である。図７では、無線ＬＡＮを搭載したノートブック型パーソナルコンピュータ、タブレット、スマートフォン等の無線ＬＡＮ子機の構成を示している。
【００３４】
図７に示すように、無線ＬＡＮ子機２００は、ＣＰＵ２０１、ＲＯＭ２０２、ＲＡＭ２０３、ＯＳやソフトウェアを格納するＨＤＤ２０４、無線ＬＡＮ子機制御部２０５、無線ＬＡＮ制御部２０６、アンテナ２０７、無線設定テーブル処理部２０８、ビデオ制御部２０９、画像表示を行うＬＣＤ２１０、ＵＳＢ等のＩ／Ｏ制御部２１１を備えている。これらは、それぞれバス３００により接続されている。なお、これらの構成要素のうち、一般的な技術を採用することができる構成要素については、ここでは詳細な説明は省略する。
【００３５】
無線ＬＡＮ子機制御部２０５は、ＲＯＭ２０２に格納されたプログラムを読み込み、無線ＬＡＮ制御部２０６を制御して、無線ＬＡＮ子機の動作を実行する。無線ＬＡＮ制御部２０６は、無線ＬＡＮ子機制御部２０５からの制御により、２．４ＧＨｚ帯又は５ＧＨｚ帯の周波数帯域を使用して無線ＬＡＮアクセスポイント１００と無線接続することができる。無線ＬＡＮ制御部２０６は、ＭＡＣ／ＢＢ／ＲＦ、ＰＡ、ＬＮＡ、アンテナスイッチ（送受信切替スイッチ）等を含む。無線ＬＡＮ制御部２０６及びアンテナ２０７は、無線接続部２１に相当する。
【００３６】
ここで、無線ＬＡＮ子機２００における無線設定テーブルについて説明する。図８は、無線ＬＡＮ子機２００における変更前の無線設定テーブル（以下、「子機側無線設定テーブル」とする）を示している。図８に示すように、子機側無線設定テーブルには、無線設定として、使用する周波数、チャネル、ＳＳＩＤ（Service Set Identifier）、暗号方式、暗号キーが含まれている。これらの無線設定は、無線ＬＡＮ子機２００の第１無線設定テーブルと同一である。この子機側無線設定テーブルは、ＲＡＭ２０３に保存される。無線ＬＡＮ子機制御部２０５は、この子機側無線設定テーブルの無線設定にて、無線ＬＡＮアクセスポイント１００へ接続要求を行う。
【００３７】
また、無線ＬＡＮ子機制御部２０５は、無線ＬＡＮアクセスポイント１００の無線設定が変更された場合に、無線ＬＡＮアクセスポイント１００から通知される変更後の無線設定を受信する。上述の通り、実施の形態１では、変更前の無線設定テーブルと変更後の無線設定テーブルとの差分（第３無線設定テーブル）が受信される。
【００３８】
無線設定テーブル処理部２０８は、ＲＡＭ２０３に保存されている子機側無線設定テーブルの読み込みを行う。無線ＬＡＮアクセスポイント１００から変更後の無線設定を受信した場合、無線設定テーブル処理部２０８は、変更後の無線設定をＲＡＭ２０３に保存する。実施の形態１では、無線ＬＡＮアクセスポイント１００から通知された第３無線設定テーブルがＲＡＭ２０３に保存される。無線設定テーブル処理部２０８は、第３無線設定テーブルの内容を変更前の子機側無線設定テーブルの該当箇所に上書きする。
【００３９】
無線ＬＡＮ子機制御部２０５は、無線ＬＡＮアクセスポイント１００が変更後の無線設定を有効にして無線ＬＡＮアクセスポイント１００と無線ＬＡＮ子機２００との接続が解除された後に、変更後の無線設定にて無線ＬＡＮアクセスポイント１００へ接続要求を行う。これにより、変更後の新たな無線設定で無線ＬＡＮアクセスポイント１００と無線ＬＡＮ子機２００とを再接続することができる。すなわち、無線ＬＡＮ子機制御部２０５、無線設定テーブル処理部２０８は、接続制御部２２に相当する。また、無線ＬＡＮ子機制御部２０５は、変更後の無線設定を受信した旨を示す応答（Ａｃｋ）を無線ＬＡＮアクセスポイント１００に送信する。
【００４０】
次に、上述の無線ＬＡＮアクセスポイント１００、無線ＬＡＮ子機２００を備える無線ＬＡＮシステムの動作について説明する。図９〜１１は、実施の形態１に係る無線接続方法の処理の流れを示すフロー図である。図９は、無線ＬＡＮアクセスポイント１００の動作を示しており、図１０は、無線ＬＡＮ子機２００の動作を示している。また、図１１は、無線ＬＡＮアクセスポイント１００と無線ＬＡＮ子機２００の間の処理の流れを示したものである。
【００４１】
まず、無線ＬＡＮアクセスポイント１００は図４に示す第１無線設定テーブルによる無線設定、無線ＬＡＮ子機２００は図８に示す子機側無線設定テーブルによる無線設定であるものとする。すなわち、無線ＬＡＮアクセスポイント１００と無線ＬＡＮ子機２００とは同一の無線設定で無線接続され、無線通信が行える状態になっている。
【００４２】
最初に、無線ＬＡＮアクセスポイント１００の動作について説明する。図９に示すように、最初に、ステップＳ１０１において、ユーザーのＷｅｂＧＵＩ等による無線設定変更が発生したか否かが判断される。無線設定変更が発生した場合（ステップＳ１０１ＹＥＳ）、処理はステップＳ１０２へ移行する。ステップＳ１０２では、変更された項目を含む無線設定が第２無線設定テーブルとしてＲＡＭ１５０へ保存される。図５に示すように、一例として、ＳＳＩＤが、“ＡＢＣＤＥＦＧ”から“ＨＩＪＫＬＭＮ”に変更されている。一方、無線設定変更が発生していない場合（ステップＳ１０１ＮＯ）、処理はステップＳ１０１に戻る。
【００４３】
次に、ステップＳ１０３において、第１無線設定テーブルと第２無線設定テーブルとの比較が行われる。第１無線設定テーブルと第２無線設定テーブルとの差分がない場合は、処理はステップＳ１０１に戻る。第１無線設定テーブルと第２無線設定テーブルとの差分がある場合は、処理はステップＳ１０４へ移行する。ステップＳ１０４では、抽出された差分が第３無線設定テーブルとしてＲＡＭ１５０に保存される。この場合、図６の変更されたＳＳＩＤの設定が第３無線設定テーブルとして保存される。
【００４４】
次に、ステップＳ１０５において、ＲＡＭ１５０から第３無線設定テーブルが読み出され、無線ＬＡＮ子機２００へ第３無線設定テーブルが送信される。そして、ステップＳ１０６において、無線ＬＡＮアクセスポイント１００が第３無線設定テーブルを受信した旨の応答（Ａｃｋ）を受信したか否かが判断される。応答を受信した場合（ステップＳ１０６ＹＥＳ）、処理はステップＳ１０７へ移行する。
【００４５】
ステップＳ１０７において、無線ＬＡＮ子機２００へディオーセンティケーションが送信され、無線接続が解除される。そして、ステップＳ１０８において、ＲＡＭ１５０内の第２無線設定テーブルが読み出され、ＲＡＭ１５０内の第１無線設定テーブルへ上書きされる。
【００４６】
次に、ステップＳ１０９において、無線ＬＡＮアクセスポイント制御部１１１が無線ＬＡＮ制御部１２０を停止することにより、無線が停止される。そして、ＲＡＭ１５０内に保存されている、第２無線設定テーブルの無線設定に書き変えられた第１無線設定テーブルを読み込み（ステップＳ１１０）、当該第１無線設定テーブルの無線設定で無線ＬＡＮ制御部１２０を起動することにより無線を起動する（ステップＳ１１１）。
【００４７】
次に、無線ＬＡＮ子機２００の動作について説明する。図１０に示すように、ステップＳ２０１において、第３無線設定テーブルが受信されたか否かが判断される。第３無線設定テーブルが受信された場合（ステップＳ２０１ＹＥＳ）、ステップ２０２へ処理が移行する。ステップＳ２０２では、第３線設定テーブルがＲＡＭ２０３へ保存される。
【００４８】
次に、ステップＳ２０３において、第３無線設定テーブルを受信したことを示す応答（Ａｃｋ）を無線ＬＡＮアクセスポイント１００へ送信する。そして、ステップＳ２０４にて、無線ＬＡＮアクセスポイント１００との無線接続が解除されたか否かが判断される。無線接続が解除された場合（Ｓ２０４ＹＥＳ）、処理はステップＳ２０５へ移行する。ステップＳ２０５において、ＲＡＭ２０３から読み出された第３無線設定テーブルが、子機側無線設定テーブルの該当設定箇所に上書きされる。この場合、変更されたＳＳＩＤの無線設定が子機側無線設定テーブルに上書きされる。
【００４９】
次に、ステップＳ２０６において、無線ＬＡＮ子機制御部２０５が無線ＬＡＮ制御部２０６を停止することにより、無線が停止される。そして、ＲＡＭ２０３からＳＳＩＤが更新された子機側無線設定テーブルを読み込み（ステップＳ２０７）、当該子機側無線設定テーブルの無線設定で無線ＬＡＮ制御部２０６を起動することにより無線を起動する（ステップＳ２０８）。
【００５０】
次に、無線ＬＡＮアクセスポイント１００と無線ＬＡＮ子機２００の間の処理について説明する。図１１に示すように、まず、無線ＬＡＮアクセスポイント１００と無線ＬＡＮ子機２００は無線ＬＡＮ接続状態である。無線ＬＡＮアクセスポイント１００において無線設定変更（Ｓ１０１）が発生すると、無線ＬＡＮアクセスポイント１００は、無線ＬＡＮ子機２００へ第３無線設定テーブルを送信（Ｓ１０５）する。
【００５１】
無線ＬＡＮ子機２００は、第３無線設定テーブルを受信したことを示す応答（Ａｃｋ）を無線ＬＡＮアクセスポイント１００へ送信する（Ｓ２０３）。その後、無線ＬＡＮアクセスポイント１００は、ディオーセンティケーションを無線ＬＡＮ子機２００へ送信し（Ｓ１０７）、無線ＬＡＮ子機２００との無線接続を解除し、無線停止（Ｓ１０９）する。無線ＬＡＮアクセスポイント１００は、新たな無線設定（上書きされた第１無線設定テーブル）を読み込み（Ｓ１１０）、無線起動（Ｓ１１１）する。
【００５２】
無線ＬＡＮ子機２００は、無線ＬＡＮアクセスポイント１００との無線接続が解除された後、無線停止（Ｓ２０６）し、新たな無線設定（上書きされた子機側無線設定テーブル）を読み込み（Ｓ２０７）、無線起動（Ｓ２０８）する。
【００５３】
無線ＬＡＮ子機２００は、新たな無線設定で起動後、無線ＬＡＮアクセスポイント１００へオーセンティケーションを送信し、無線ＬＡＮアクセスポイントとの間でアソシエーションまでの一連のやりとりを行い無線ＬＡＮ接続状態となる。
【００５４】
このように、無線設定が変更された無線ＬＡＮアクセスポイント１００に対して、変更後の無線設定にて無線ＬＡＮ子機２００は再度、無線接続を行うことができる。実施の形態１では、ＳＳＩＤの設定が変更されたことを例として示したが、他の設定が変更された場合においても同様の動作により設定変更後の無線設定にて無線接続を行うことができる。
【００５５】
以上説明したように、実施の形態１によれば、無線ＬＡＮアクセスポイント１００と無線ＬＡＮ子機２００とが無線接続されている状態において、無線ＬＡＮアクセスポイント１００の無線設定が変更された場合、変更された無線設定を有効にする前に、無線ＬＡＮアクセスポイント１００にて無線設定の変更を検出して、無線接続されている無線ＬＡＮ子機２００へ変更された無線設定を通知している。そして、無線ＬＡＮ子機２００は、無線接続が解除されたことにより、無線ＬＡＮアクセスポイント１００から通知された変更後の無線設定を有効にすることにより、設定変更された無線ＬＡＮアクセスポイント２００へ再度、無線接続することができる。
【００５６】
従って、使用者が無線設定を変更する場合、無線ＬＡＮアクセスポイントの設定を変更するだけでよく、無線ＬＡＮ子機の設定変更の操作を行うこと必要がない。このように、実施の形態１では、無線ＬＡＮ子機の設定を手動でやり直す必要なく、使用者の利便性を向上させることができる。
【００５７】
また、無線ＬＡＮアクセスポイント１００から無線ＬＡＮ子機２００への変更後の無線設定のやり取りはユニキャストである。このため、無線ＬＡＮ子機から無線ＬＡＮアクセスポイントの変更後の無線設定を要求する必要がなく、無線設定を取得したい所望の無線ＬＡＮアクセスポイント以外へのパケット送信は発生しない。また、実施の形態では、別の暗号化を行うことなく、通常の通信を用いて無線ＬＡＮアクセスポイント１００と無線ＬＡＮ子機２００との無線設定のやり取りを行うことができる。
【００５８】
実施の形態２．
実施の形態２では、無線ＬＡＮアクセスポイント１００の無線ＬＡＮ制御部１２０は、複数の無線ＬＡＮ子機２００と接続可能である。無線ＬＡＮアクセスポイント１００に接続される複数の無線ＬＡＮ子機２００の構成はいずれも、図７と同様の構成である。ＣＰＵ１１０は、無線接続された複数の無線ＬＡＮ子機２００のそれぞれに変更後の無線設定を通知する。
【００５９】
図１２は、無線ＬＡＮアクセスポイント１００において、無線ＬＡＮアクセスポイント１００に接続されている無線ＬＡＮ子機２００を示す接続無線ＬＡＮ子機テーブルを示している。接続無線ＬＡＮ子機テーブルは、無線ＬＡＮアクセスポイント１００のＲＡＭ１５０に保存されている。図１２に示す例では、Ｎｏ．１〜Ｎｏ．３の３台の無線ＬＡＮ子機が無線ＬＡＮアクセスポイント１００に接続されていることを示している。なお、無線ＬＡＮアクセスポイント１００に接続される無線ＬＡＮ子機２００の数は、何台であってもよい。
【００６０】
接続無線ＬＡＮ子機テーブルは、無線ＬＡＮ子機２００が新たに接続されたり、接続されている無線ＬＡＮ子機２００が接続解除される毎に、無線ＬＡＮアクセスポイント１００の無線ＬＡＮアクセスポイント制御部１１１により更新され、ＲＡＭ１５０に保存される
【００６１】
図１３は、実施の形態２に係る無線接続方法の処理の流れを示す図である。図１３は、実施の形態２における無線ＬＡＮアクセスポイント１００の動作を示している。図１３において、ステップＳ３０１〜Ｓ３０４の処理は、図９のステップＳ１０１〜Ｓ１０４と同様であり、詳細な説明は省略する。
【００６２】
ステップＳ３０４の後、ステップＳ３０５において、無線ＬＡＮアクセスポイント１００の無線ＬＡＮアクセスポイント制御部１１１は、ＲＡＭ１５０に保存された接続無線ＬＡＮ子機テーブルから、現在、無線接続されている無線ＬＡＮ子機の数をカウントする。このカウント数をＮとする。図１２に示す例では、Ｎ＝３となる。
【００６３】
次に、ステップＳ３０６において、Ｎｏ．Ｎの無線ＬＡＮ子機２００へ第３無線設定テーブルを送信する。この場合、Ｎｏ．３の無線ＬＡＮ子機２００に第３無線設定テーブルが送信される。そして、ステップＳ３０７において、無線ＬＡＮアクセスポイント１００が、Ｎｏ．Ｎ（この場合、Ｎｏ．３）の無線ＬＡＮ子機２００からの第３無線設定テーブルを受信した旨の応答（Ａｃｋ）を受信したかが判断される。無線ＬＡＮアクセスポイント１００が応答を受信した場合（Ｓ１０６ＹＥＳ）、処理はステップＳ３０８へ移行する。ステップＳ３０８において、Ｎｏ．Ｎ（この場合、Ｎｏ．３）の無線ＬＡＮ子機２００へディオーセンティケーションを送信し、無線接続が解除される。
【００６４】
次に、ステップＳ３０９において、無線ＬＡＮ子機１００のカウント数を１減算する（Ｎ−１）。すなわち、複数の無線ＬＡＮ子機２００の１台に変更後の無線設定を通知する毎に、無線ＬＡＮ子機１２００のカウント数を１減算する。そして、ステップＳ３１０において、Ｎ＝０であるか否かが判断される。Ｎ＝０ではない場合（Ｓ３１０ＮＯ）、処理はステップＳ３０６へ移行する。ステップＳ３０６〜Ｓ３１０の処理は、Ｎ＝０になるまで繰り返し実行される。すなわち、接続される無線ＬＡＮ子機２００の数が０になるまで、異なる無線ＬＡＮ子機２００子機への無線設定の通知が実行される。
【００６５】
Ｎ＝０である場合（Ｓ３１０ＹＥＳ）、処理をステップＳ３１１へ移行する。ステップＳ３１１〜Ｓ３１４の処理は、図９のステップＳ１０８〜Ｓ１１１と同様である。
【００６６】
このように、実施の形態２によれば、無線ＬＡＮアクセスポイント１００に対して複数の無線ＬＡＮ子機が接続されている場合においても、無線ＬＡＮアクセスポイント１００で無線設定が変更された場合、変更後の無線設定にて各無線ＬＡＮ子機２００が再度無線接続を行うことができる。
【００６７】
上記の実施形態の一部又は全部は、以下の付記のようにも記載されうるが、以下には限られない。
（付記１）
無線ＬＡＮ子機と無線接続を行う無線接続部と、
前記無線ＬＡＮ子機と無線接続を行っているときに無線設定が変更された場合、変更後の無線設定を前記無線ＬＡＮ子機に通知する設定制御部と、
を備える、
無線ＬＡＮアクセスポイント。
（付記２）
前記設定制御部は、変更前の無線設定と変更後の無線設定との差分を抽出し、当該差分のみを前記無線ＬＡＮ子機に通知する、
付記１に記載の無線ＬＡＮアクセスポイント。
（付記３）
前記設定制御部は、通知した変更後の無線設定を前記無線ＬＡＮ子機が受信した旨の応答を検出する、
付記１又は２に記載の無線ＬＡＮアクセスポイント。
（付記４）
前記無線接続部は、複数の前記無線ＬＡＮ子機と無線接続可能であり、
前記設定制御部は、無線接続された複数の前記無線ＬＡＮ子機のそれぞれに変更後の無線設定を通知する、
付記１〜３のいずれか１項に記載の無線ＬＡＮアクセスポイント。
（付記５）
前記設定制御部は、無線接続されている複数の前記無線ＬＡＮ子機の数をカウントし、
複数の前記無線ＬＡＮ子機の１台に変更後の無線設定を通知する毎に前記無線ＬＡＮ子機のカウント数を１減算して、該カウント数が０になるまで異なる前記無線ＬＡＮ子機への無線設定の通知を実行する、
付記４に記載の無線ＬＡＮアクセスポイント。
（付記６）
無線ＬＡＮアクセスポイントと無線接続を行う無線接続部と、
前記無線ＬＡＮアクセスポイントと無線接続を行っているときに無線設定が変更された場合に前記無線ＬＡＮアクセスポイントから通知される変更後の無線設定を受信し、変更後の無線設定が有効となり前記無線ＬＡＮアクセスポイントとの接続が解除された後に、通知された変更後の無線設定を有効にして前記無線ＬＡＮアクセスポイントへ再接続する接続制御部と、
を備える、
無線ＬＡＮ子機。
（付記７）
前記接続制御部は、変更後の無線設定を受信した旨を示す応答を前記無線ＬＡＮアクセスポイントに送信する、
付記６に記載の無線ＬＡＮ子機。
（付記８）
無線ＬＡＮ子機と、前記無線ＬＡＮ子機と無線接続する無線ＬＡＮアクセスポイントとを有し、
前記無線ＬＡＮアクセスポイントは、前記無線ＬＡＮ子機と無線接続されているときに無線設定が変更された場合に、変更後の無線設定を前記無線ＬＡＮ子機に通知し、
前記無線ＬＡＮアクセスポイントが変更後の無線設定を有効にして前記無線ＬＡＮアクセスポイントと前記無線ＬＡＮ子機との接続が解除された後に、前記無線ＬＡＮ子機は通知された変更後の無線設定を有効にして前記無線ＬＡＮアクセスポイントへ再接続する、
無線ＬＡＮシステム。
（付記９）
前記無線ＬＡＮアクセスポイントは、変更前の無線設定と変更後の無線設定との差分を抽出し、当該差分のみを前記無線ＬＡＮ子機に通知する、
付記８に記載の無線ＬＡＮシステム。
（付記１０）
前記無線ＬＡＮ子機は、変更後の無線設定を受信した旨の応答を前記無線ＬＡＮアクセスポイントに送信し、
前記無線ＬＡＮアクセスポイントは、前記応答を検出した後に、前記無線ＬＡＮ子機との無線接続を解除する、
付記８又は９記載の無線ＬＡＮシステム。
（付記１１）
前記無線ＬＡＮアクセスポイントは、複数の前記無線ＬＡＮ子機と無線接続可能であり、無線接続された複数の前記無線ＬＡＮ子機のそれぞれに変更後の無線設定を通知する、
付記８〜１０のいずれか１項に記載の無線ＬＡＮシステム。
（付記１２）
前記無線ＬＡＮアクセスポイントは、無線接続されている複数の前記無線ＬＡＮ子機の数をカウントし、複数の前記無線ＬＡＮ子機の１台に変更後の無線設定を通知する毎に前記無線ＬＡＮ子機のカウント数を１減算して、該カウント数が０になるまで異なる前記無線ＬＡＮ子機への無線設定の通知を実行する、
付記１１に記載の無線ＬＡＮシステム。
（付記１３）
無線ＬＡＮアクセスポイントと無線ＬＡＮ子機とが無線接続されているときに無線設定が変更された場合に、前記無線ＬＡＮアクセスポイントから変更後の無線設定を前記無線ＬＡＮ子機に通知し、
前記無線ＬＡＮアクセスポイントが変更後の無線設定を有効にして前記無線ＬＡＮアクセスポイントと前記無線ＬＡＮ子機との接続が解除された後に、前記無線ＬＡＮ子機は通知された変更後の無線設定を有効にして前記無線ＬＡＮアクセスポイントへ再接続する、
無線接続方法。
（付記１４）
無線ＬＡＮアクセスポイントに、該無線ＬＡＮアクセスポイントと無線ＬＡＮ子機とが無線接続されているときに無線設定が変更された場合に、変更後の無線設定を前記無線ＬＡＮ子機に通知する処理を実行させる、
無線ＬＡＮアクセスポイント用プログラム。
（付記１５）
無線ＬＡＮ子機と、前記無線ＬＡＮ子機と無線接続する付記１４に記載の無線ＬＡＮアクセスポイントとを備える無線ＬＡＮシステムにおいて、
無線ＬＡＮ子機に、前記無線ＬＡＮアクセスポイントが変更後の無線設定を有効にして前記無線ＬＡＮアクセスポイントと前記無線ＬＡＮ子機との接続が解除された後に、通知された変更後の無線設定を有効にして前記無線ＬＡＮアクセスポイントへ再接続する処理を実行させる、
無線ＬＡＮ子機用プログラム。
（付記１６）
無線ＬＡＮ子機と、前記無線ＬＡＮ子機と無線接続する付記１４に記載の無線ＬＡＮアクセスポイントとを備える無線ＬＡＮシステムにおいて、
無線ＬＡＮアクセスポイントに、該無線ＬＡＮアクセスポイントと無線ＬＡＮ子機とが無線接続されているときに無線設定が変更された場合に、変更後の無線設定を前記無線ＬＡＮ子機に通知する処理を実行させ、
前記無線ＬＡＮ子機に、前記無線ＬＡＮアクセスポイントが変更後の無線設定を有効にして前記無線ＬＡＮアクセスポイントと前記無線ＬＡＮ子機との接続が解除された後に、通知された変更後の無線設定を有効にして前記無線ＬＡＮアクセスポイントへ再接続する処理を実行させる、
プログラム。
【００６８】
なお、本発明は上記実施の形態に限られたものではなく、趣旨を逸脱しない範囲で適宜変更することが可能である。
【符号の説明】
【００６９】
１１  無線接続部
１２  設定制御部
２１  無線接続部
２２  接続制御部
１００  無線ＬＡＮアクセスポイント
１１０  ＣＰＵ
１１１  無線ＬＡＮアクセスポイント制御部
１１２  無線設定テーブル処理部
１２０  無線ＬＡＮ制御部
１２１  ＭＡＣ／ＢＢ／ＲＦ
１２２  ＰＡ
１２３  ＬＮＡ
１２４  アンテナスイッチ
１２５  アンテナ
１３０  有線ＷＡＮ／ＬＡＮ制御部
１３１  Ｌ２ＳＷ
１３２  ＷＡＮポート
１３３  ＬＡＮポート
１４０  ＲＯＭ
１５０  ＲＡＭ
２００  無線ＬＡＮ子機
２０１  ＣＰＵ
２０２  ＲＯＭ
２０３  ＲＡＭ
２０４  ＨＤＤ
２０５  無線ＬＡＮ子機制御部
２０６  無線ＬＡＮ制御部
２０７  アンテナ
２０８  無線設定テーブル処理部
２０９  ビデオ制御部
２１０  ＬＣＤ
２１１  Ｉ／Ｏ制御部
３００  バス
【図１】
2019208105.tif 000003
【図２】
2019208105.tif 000004
【図３】
2019208105.tif 000005
【図４】
2019208105.tif 000006
【図５】
2019208105.tif 000007
【図６】
2019208105.tif 000008
【図７】
2019208105.tif 000009
【図８】
2019208105.tif 000010
【図９】
2019208105.tif 000011
【図１０】
2019208105.tif 000012
【図１１】
2019208105.tif 000013
【図１２】
2019208105.tif 000014
【図１３】
2019208105.tif 000015